(57)【特許請求の範囲】
【請求項１】
縦筋と横筋を直交配置した緑面形成用のメッシュパネルと該メッシュパネルを取付金具
を用いて塀面等に取り付けるメッシュパネル取付構造において、
上記メッシュパネルには、縦筋の上下複数位置に背面側に突出形成した屈曲部先端に所
定間隔２条の横筋を支持することによって背面突出の胴縁が設けられており、
上記取付金具が、
上記胴縁をなす上記２条の横筋を縦方向に被覆自在の長さを有する矩形の正面基板であ
って、上記取付金具を上記塀面等に固定する固定金具が挿通する透孔が設けられた正面基
板と、
上記正面基板と略同長にして同じく矩形の背面基板であって、上記透孔を挿通した上記
固定金具が挿通する長孔が設けられた背面基板と、
上記正面基板の一短辺と上記背面基板の一短辺とを連結するとともに、縦筋又は横筋を
抱持する連結片と、
上記正面基板の対向一対の長辺から背面側に向けて起立した対向一対の折返し突片と、
上記正面基板の他短辺から背面側に向けて湾曲して起立するとともに、縦筋又は横筋を
抱持する湾曲突片と、を有し、
上記取付金具を、
上記胴縁をなす上記２条の横筋を上記連結片と上記湾曲突片によって抱持し、且つ、上
記折返し突片を上記２条の横筋間に配置する縦向き使用により、上記メッシュパネルを上
記塀面等に添設固定する使用態様、又は、
横方向に隣接した２つの上記メッシュパネルのうち一方のメッシュパネルにおける上記
胴縁をなす縦筋と、他方のメッシュパネルにおける上記胴縁をなす縦筋と、を上記連結片
と上記湾曲突片によって抱持し、且つ、上記折返し突片をそれら２つの縦筋間に配置する
横向き使用により、２つの上記メッシュパネルを上記塀面等に連結固定する使用態様、で
用いることによって、
上記メッシュパネルを、上記胴縁以外の箇所には上記塀面等との間に上記胴縁の突出幅
に応じた間隔を形成するようにして上記塀面等に取り付けてなることを特徴とするメッシ
ュパネル取付構造。
【発明の詳細な説明】
【技術分野】
【０００１】
本発明は、塀面等に空隙を介して添設し、地表に植生した蔓性植物等によって緑面を形成するように用いるメッシュパネルの上記添設固定と隣接相互の連結固定に併用し得るようにしたメッシュパネル取付構造、メッシュパネル、およびメッシュパネルの添設連結併用取付金具に関する。
【背景技術】
【０００２】
縦筋と横筋を直交配置するとともに上端に中心を縦筋延長線上とするように円形とし、下端に半円形とした胴縁を配置したフェンスとしてメッシュフェンスが知られ、上下高さを高くすることによって、公共施設や工場等の仕切の為に用いられており、このとき該フェンスは、該フェンス専用の支柱に背面を面接するようにフックボルト、取付金具等を用いて固定支持したものとされ、例えば取付金具は、正面プレートと、該正面プレートと対をなす背面プレートと、正面プレートの下端に背面側に向けて突出配置した縦筋抜止め用一対の湾曲片と、正面プレートの面内に形成した横筋保持用の凹溝及びボルト孔と、背面プレートの面内に配置した同じくボルト孔と、正面プレートの上端に突出し、背面プレートの係止孔に係止する係止突片を備えた金属板加工のものとされ、隣接するフェンスの縦筋を上記一対の湾曲片間に受け入れるとともに正面プレートの凹溝に横筋を受け入れて、正面プレートと背面プレートをこれらのボルト孔に挿通したボルトに背面プレート側のナットを締着し、該ボルトナットで正面プレートと背面プレートを締着一体化することによって上記支柱位置外の適宜箇所で隣接するフェンスの連結を完結的に行うものとされている。
【先行技術文献】
【特許文献】
【０００３】
【特許文献１】特開２００７−１６２４２５号公報
【発明の概要】
【発明が解決しようとする課題】
【０００４】
この種のメッシュフェンスは、その仕切の性格上、必ずしもデザインに優れるものとはなし得ないが、縦筋と横筋を配置することにより格子状の面体とし得るから、デザインを良好とした格子状の面体、即ち、メッシュパネルとして、例えば蔓性植物を這わせるようにすれば、該メッシュパネルを、庭先の緑面形成面をなすものとして使用することができ、このとき、例えば、既存の隣地との境界仕切の塀面等に近づけてこれに添設するように起立設置すれば、敷地の有効利用を可能とするとともに該塀面等に直接に蔓性植物を這わせることによるその劣化や損傷を防止することも可能となる。
【０００５】
然し乍ら、上記メッシュフェンスの形態を転用するように用いても、塀面等に添設することは必ずしも容易ではなく、従って、該添設に適した格子状の面体、即ち、メッシュパネルを用いる必要がある上、取付金具を、その塀面等への添設や隣接相互の連結を行うために使用可能な新たなものとする必要がある。
【０００６】
本発明はかかる事情に鑑みてなされたもので、その解決課題とするところは、上記緑面形成に適して、塀面等との間に空間を配置するようにこれに添設し得るように構成したメッシュパネルを用いて、その塀面等に対する添設固定、隣接相互の連結固定を、選択的に簡易且つ確実になし得るようにしたメッシュパネル取付構造、メッシュパネル、およびメッシュパネルの添設連結併用取付金具を提供するにある。
【課題を解決するための手段】
【０００７】
上記課題に沿って本発明は、縦筋と横筋による格子状の面体、即ち、メッシュパネルを
、塀面等への固定部位をなし且つ塀面等との間隔規制を行うように背面に突出形成し且つ
塀面等への固定部位を所定間隔２条の横筋による面をなすようにした複数の胴縁を有する
ものとし、取付金具を、連結片で一体化した正背面の矩形の基板と、該正面基板の長辺に
上記所定間隔２条の横筋間に挿入自在の対向一対の折返し突片を、正面基板の非連結側の
端部に２条のうちの一方の横筋を抱持する湾曲突片を、正背面基板に、正面基板を透孔、
背面基板を長孔とした固定用のネジ、リベット、釘等の固定金具を挿通する塀面等固定孔
をそれぞれ配置したものとし、該取付金具を縦向きに使用し、正背面基板によって胴縁の
底面をなす２条の横筋を被嵌するとともに該２条の横筋間に一対の折返し突片を挿入し、
正背面面基板の塀面等固定孔を介して固定金具を塀面等に圧入して、複数の胴縁による胴
縁間隔を確保してメッシュパネルを塀面等に固定する一方、該取付金具を１／４円回動し
て横向きに使用し、連結片と湾曲突片によって隣接する一対の縦筋を抱持するとともに該
一対の縦筋間に一対の折返し片を挿入して、同じく正背面面基板の塀面等固定孔を介して
固定金具を塀面等に圧入して、同じく複数の胴縁による胴縁間隔を確保しメッシュパネル
を連結するとともに該連結した取付金具を塀面等に固定するようにし、単一の取付金具を
用いて、メッシュパネルの添設固定と連結固定を選択的に自在としてその塀面等への簡易
且つ確実な固定をなし得るようにしたものであって、即ち、請求項１に記載の発明を、縦
筋と横筋を直交配置した緑面形成用のメッシュパネルと該メッシュパネルを取付金具を用
いて塀面等に取り付けるメッシュパネル取付構造において、上記メッシュパネルには、縦
筋の上下複数位置に背面側に突出形成した屈曲部先端に所定間隔２条の横筋を支持するこ
とによって背面突出の胴縁が設けられており、上記取付金具が、上記胴縁をなす上記２条
の横筋を縦方向に被覆自在の長さを有する矩形の正面基板であって、上記取付金具を上記
塀面等に固定する固定金具が挿通する透孔が設けられた正面基板と、上記正面基板と略同
長にして同じく矩形の背面基板であって、上記透孔を挿通した上記固定金具が挿通する長
孔が設けられた背面基板と、上記正面基板の一短辺と上記背面基板の一短辺とを連結する
とともに、縦筋又は横筋を抱持する連結片と、上記正面基板の対向一対の長辺から背面側
に向けて起立した対向一対の折返し突片と、上記正面基板の他短辺から背面側に向けて湾
曲して起立するとともに、縦筋又は横筋を抱持する湾曲突片と、を有し、上記取付金具を
、上記胴縁をなす上記２条の横筋を上記連結片と上記湾曲突片によって抱持し、且つ、上
記折返し突片を上記２条の横筋間に配置する縦向き使用により、上記メッシュパネルを上
記塀面等に添設固定する使用態様、又は、横方向に隣接した２つの上記メッシュパネルの
うち一方のメッシュパネルにおける上記胴縁をなす縦筋と、他方のメッシュパネルにおけ
る上記胴縁をなす縦筋と、を上記連結片と上記湾曲突片によって抱持し、且つ、上記折返
し突片をそれら２つの縦筋間に配置する横向き使用により、２つの上記メッシュパネルを
上記塀面等に連結固定する使用態様、で用いることによって、上記メッシュパネルを、上
記胴縁以外の箇所には上記塀面等との間に上記胴縁の突出幅に応じた間隔を形成するよう
にして上記塀面等に取り付けてなることを特徴とするメッシュパネル取付構造としたもの
である。
【００１０】
本発明はこれらをそれぞれ発明の要旨として上記課題解決の手段としたものである。
【発明の効果】
【００１１】
本発明は以上のとおりに構成したから、請求項１に記載の発明は、緑面形成に適して、塀面等との間に空間を配置するようにこれに添設し得るように構成したメッシュパネルを用いて、その塀面等に対する添設固定、隣接相互の連結固定を、選択的に簡易且つ確実になし得るようにしたメッシュパネル取付構造を提供することができる。
【図面の簡単な説明】
【００１４】
【図１】塀面等とメッシュパネルの添設固定状態を示す斜視図である。
【図２】メッシュパネルの添設固定状態を示す縦断面図である。
【図３】図２の部分拡大図である。
【図４】メッシュパネルの添設固定状態を示す平面図である。
【図５】塀面等とメッシュパネルの連結固定状態を示す斜視図である。
【図６】取付金具の正面図である。
【図７】取付金具の側面図である。
【図８】取付金具の平面図である。
【図９】取付金具の縦向き固定の状態を示す斜視図である。
【図１０】取付金具の横向き連結の状態を示す斜視図である。
【発明を実施するための形態】
【００１５】
以下図面の例に従って本発明を更に具体的に説明すれば、Ａはメッシュパネルであり、該メッシュパネルＡは、縦筋１と横筋２を直交配置するとともに縦筋１の上下複数位置に背面側に突出形成した屈曲部先端に所定間隔２条の横筋２を支持することによって背面突出の胴縁３を配置した緑面形成用のものとしてある。
【００１６】
本例にあってメッシュパネルＡは、例えば、図示したように、高さ０．９ｍ、幅１ｍ程度、即ち、１ｍ２弱程度とし又は図示省略の高さ１．５ｍ、幅１ｍ程度の１．５ｍ２程度の面積のものとし、塀面等６、即ち、ブロック塀、コンクリート塀、板塀の塀面の他、既設乃至起立設置した支柱、起立設置したベースパネル等に添設し、植裁した蔓性植物を這わせて緑面を形成するように用いるものとしてあり、このとき縦筋１と横筋２は、例えば５ｍｍ径の縦筋１を５ｃｍピッチ、４ｍｍ径の横筋を１０ｃｍと１５ｃｍの併用ピッチとして、縦筋１を正面側に、横筋２を背面側に配置し、その直交する交点を溶着して、格子状の面体をなすものとしてある。該メッシュパネルＡは、例えば、その上端と、面内中間位置の単一乃至複数箇所に幅方向一連の上記胴縁３を配置してあり、該胴縁３は、縦筋１の胴縁設置部位を、上位において下向き傾斜し、下位において上向き傾斜し、中間において、これら傾斜先端を垂直に結ぶように背面に向けて倒台形状をなすように屈曲し、上記垂直部位の背面側に、例えば、数ｃｍ以下、本例にあっては２．５ｃｍの間隔で２条の横筋２を平行に配置し、同様に溶着を施すことによって、上記倒台形状の背面側の短辺に該横筋２による胴縁固定面３１を形成するものとしてある。本例にあって胴縁３は、その背面側への突出幅を１０ｃｍ以下、例えば６ｃｍ程度としてあり、該胴縁３は、これをメッシュパネルＡの上端と面内中間位置に合計２条配置し、後述の塀面等６への添設固定状態で、塀面等６に上下２箇所で、上記横筋２の胴縁固定面３１を接触するも、胴縁３以外の箇所には、該胴縁３突出幅に応じた間隔を形成するようにしてある。
【００１７】
該メッシュパネルＡの塀面等６への固定及びメッシュパネルＡの連結は、これを、取付金具４を用いて行うものとしてあり、該取付金具４は、上記メッシュパネルＡの塀面等６への固定に用いるように金属板加工によって形成してあり、上記胴縁３の所定間隔２条の横筋２を被覆自在の長さを有する矩形の正面基板４１と、該正面基板４１の一側端の連結片４２を介して一体に配置した該正面基板４１と略同長にして同じく矩形の背面基板４３と、上記正面基板４１の長辺側に背面側に向けて起立して上記２条の横筋２間に挿入自在の対向一対の折返し突片４４と、正面基板４１の他側端に２条の一方の横筋２を抱持自在の湾曲突片４５と、上記正面基板４１及び背面基板４３の各面内に透設し正面基板４１において固定金具挿通用の透孔とし、背面基板４３において該透孔を通過する長孔とした塀面等固定孔４６を配置して形成したものとしてある。
【００１８】
本例にあって上記金属板加工の取付金具４は、これを、ステンレス板を加工して形成したステンレス製としてあり、また、上記取付金具４の背面基板４３を、正面基板４１に対して背面側起立状態で出荷して連結片４２を現場手曲げするように使用自在としたものとしてある。
【００１９】
本例の取付金具４は、上記現場手曲げを行い且つ添設乃至連結の強度を確保するように１ｍｍ程度の厚さのステンレス製にしてメッシュパネルＡと同色に塗装を施し、正背面基板４１、４３をそれぞれ数ｃｍ、例えば３ｃｍ程度、厚さを０．数ｃｍ、例えば０．５ｃｍ程度、折返し突片４４の背面側への起立幅を上記厚さに合せて０．５ｃｍ程度とした一体のピース部材としてあり、背面基板４３を正面基板４１に対して、直角のＬ字状乃至鋭角のＶ字状をなすように背面側起立状態してあり、上記塗装を施した本例の取付金具４にあっては、手曲げ時の塗膜剥離を防止可能な角度として、例えば３０°の鋭角のＶ字状に起立したものとして、その出荷を行うようにしてある。このとき本例の上記塀面等固定孔４６の正面基板４１の透孔は、これを円形孔とし、また、背面基板４３の長孔は、これを該背面基板長手方向に向けた長孔としてある。
【００２０】
該取付金具４は、これを、縦向き使用して上記メッシュパネルＡの塀面等６への添設固定用とし、１／４円回動して横向き使用して上記連結片４２と湾曲片４５によって端部位置の隣接する縦筋１を抱持し且つ折返し突片４４を該隣接する縦筋１間に配置してメッシュパネルＡの連結と塀面等６への固定用とすることによって、メッシュパネルＡの塀面等６に対する添設固定と連結固定を選択的に自在としてある。
【００２１】
即ち、図９に示すように、メッシュパネルＡを塀面等６に添設するに際して、単独添設のとき胴縁３長手方向両端部２箇所に、連結添設のとき長手方向片側端部１箇所に、上記Ｌ字状乃至Ｖ字状、本例にあってはＶ字状の形態のまま、取付金具４を縦使用し、その正面基板４１を、該胴縁３の上記２条の横筋２に被せるように配置した後に、背面基板４３を、その連結片４２を手曲げするように正面基板４１側に折曲して他方の横筋２を湾曲突片に受け入れるとともにその対向一対の折返し片４４を該２条の横筋２間に挿入して、該取付金具４を、胴縁３の上記２条の横筋２を挟み込むように被嵌配置し、その後に、塀面等固定孔４６、即ち、正面基板４１の上記円形孔とした透孔から、ネジ、リベット、釘等の固定金具５を、背面基板４３の長孔を介して塀面等に対して螺入や打ち込むことによって圧入し、該取付金具４を介して、メッシュパネルＡを塀面等に添設固定するように用いるものとしてある。
【００２２】
また、図１０に示すように、メッシュパネルＡを連結するに際して、胴縁３長手方向端部に、同じく上記Ｌ字状乃至Ｖ字状、本例にあってはＶ字状の形態のまま、取付金具４を横使用し、正背面基板４１、４３間の連結片４２を、隣接一方のメッシュパネルＡの連結側端部に位置する縦筋１に引掛けるように配置した後、隣接他方のメッシュパネルＡの連結側端部に位置する縦筋１を、正面基板４１の湾曲突片４５に抱持した状態で、背面基板４３を、同じくその連結片４２を手曲げするように正面基板４１側に折曲して他方の縦筋１を湾曲突片に受け入れるとともにその対向一対の折返し片４４を、これら連結側端部に位置する縦筋１間に挿入して、該取付金具４を該隣接する２条の縦筋１を挟み込むように被嵌配置し、その後に、同様に塀面固定孔４６から固定金具５を塀面等に圧入することによって、該取付金具４を介して、メッシュパネルＡを塀面等に連結固定するように用いるものとしてある。
【００２３】
このように取付金具４を用いて、メッシュパネルＡの添設固定と連結固定を行う結果、取付金具４は単一のものを共通に使用して、その配置位置で固定金具５によって塀面等６にメッシュパネルＡを確実に添設固定し、また、メッシュパネルＡ相互を確実に連結固定することができる。このとき、取付金具４の対向一対の折返し片４４を、添設固定する２条の横筋２間に挿入し、また、連結するメッシュパネルＡの隣接する縦筋１間に挿入するから、該折返し片４４が、これら２条の横筋２、隣接する縦筋１の間隔規制を行って、添設固定のとき、蔓性植物等の荷重により胴縁３の横筋２が変形してメッシュパネルＡが変形したり、位置ズレしたりするのを防止するとともに連結固定のとき、縦筋１相互の位置を保持してメッシュパネルＡが曲ったりして外観を損なうのを防止するものとしてある。
【００２４】
そして該取付金具４を用いた上記メッシュパネルＡの添設固定と連結固定は、塀面等６に胴縁３の２条の横筋２による胴縁固定面３１が接触して、固定金具６によってなされるから、メッシュパネルＡと塀面等６との間には常に胴縁３の突出幅分に応じた、本例にあって６ｃｍ程度の間隔が確保されるため、蔓性植物の植生によって蔓がメッシュパネルＡに有効に支持され、該メッシュパネルＡによって緑面を形成することができ、緑面形成を塀面等６に直接行うことによるその劣化や損傷を防止できる。
【００２５】
取付金具４は上記現場手曲げを行うも、固定金具５の工具を用いれば、メッシュパネルＡを塀面等６に簡易且つ確実に添設固定し且つ連結固定することができ、また、取付金具４はステンレス製としたことによって、屋外にあって耐久性を確保したものとすることができる。
【００２６】
図示した例は以上のとおりとしたが、メッシュパネル、縦筋、横筋、胴縁、塀面等、取付金具、正面基板、連結片、背面基板、折返し突片、湾曲突片、塀面等固定孔等の材質、形状、構造、これらの関係、これらに対する付加等は、上記発明の要旨に反しない限り様々な形態のものとすることができる。
【符号の説明】
【００２７】
Ａ  メッシュパネル
１  縦筋
２  横筋
３  胴縁
３１  胴縁固定面
４  取付金具
４１  正面基板
４２  連結片
４３  背面基板
４４  折返し突片
４５  湾曲突片
４６  塀面等固定孔
５  固定金具
６  塀面等
【図１】
0005731222.tif 000002
【図２】
0005731222.tif 000003
【図３】
0005731222.tif 000004
【図４】
0005731222.tif 000005
【図５】
0005731222.tif 000006
【図６】
0005731222.tif 000007
【図７】
0005731222.tif 000008
【図８】
0005731222.tif 000009
【図９】
0005731222.tif 000010
【図１０】
0005731222.tif 000011